(57)【要約】  本実施形態は、耐ブリード性と分子量保持率に優れるポリ乳酸樹脂組成物およびポリ乳酸樹脂成形体の提供するものであり、ポリ乳酸樹脂（ａ）と、アルカリ金属系物質の含有量が０．２質量％以下である金属水和物（ｂ）と、ホスファゼン誘導体（ｃ）とを含有するポリ乳酸樹脂組成物、およびこのポリ乳酸樹脂組成物を成形してなるポリ乳酸樹脂成形体である。ポリ乳酸樹脂成形体は、ポリ乳酸樹脂組成物の溶融物を前記ポリ乳酸樹脂（ａ）のガラス転移温度以上１１０℃以下の金型内に充填して成形する方法で製造することができる。【特許請求の範囲】
【請求項１】
ポリ乳酸樹脂（ａ）と、アルカリ金属系物質の含有量が０．２質量％以下である金属水和物（ｂ）と、ホスファゼン誘導体（ｃ）とを含有するポリ乳酸樹脂組成物。
【請求項２】
前記ポリ乳酸樹脂（ａ）と前記金属水和物（ｂ）との質量比（（ａ）／（ｂ））が、４０／６０〜８０／２０である請求項１記載のポリ乳酸樹脂組成物。
【請求項３】
前記金属水和物（ｂ）が、水酸化アルミニウムであることを特徴とする請求項１または２に記載のポリ乳酸樹脂組成物。
【請求項４】
前記ホスファゼン誘導体（ｃ）の含有量が、前記ポリ乳酸樹脂１００質量部に対して１〜３０質量部である請求項１〜３のいずれかに記載のポリ乳酸樹脂組成物。
【請求項５】
前記ホスファゼン誘導体（ｃ）が、フェノキシ基を有するシクロホスファゼン化合物を主成分とする請求項１〜４のいずれかに記載のポリ乳酸樹脂組成物。
【請求項６】
請求項１〜５のいずれかに記載のポリ乳酸樹脂組成物を成形してなるポリ乳酸樹脂成形体。
【請求項７】
（１）ポリ乳酸樹脂（ａ）と、アルカリ金属系物質が０．２質量％以下の金属水和物（ｂ）と、ホスファゼン誘導体（ｃ）とを溶融混練して、ポリ乳酸樹脂組成物の溶融物を得る工程と、
（２）前記溶融物を、前記ポリ乳酸樹脂（ａ）のガラス転移温度以上１１０℃以下の金型内に充填して成形する工程と
を有するポリ乳酸樹脂成形体の製造方法。
【発明の詳細な説明】
【技術分野】
【０００１】
本実施形態は、ポリ乳酸樹脂組成物およびポリ乳酸樹脂成形体に関する。
【背景技術】
【０００２】
ポリ乳酸樹脂は、次のような特徴を有しているので、現在その利用が期待されている。（ｉ）トウモロコシ、芋などから採れる糖分から、発酵法によりＬ−乳酸が大量に製造され安価になってきている。（ｉｉ）原料が自然農作物なので、石油原料に由来する樹脂よりも、地球温暖化への負荷が大きい温室効果ガスの発生が製造時に少ない。（ｉｉｉ）得られた樹脂の性能として剛性が高く透明性が良好である。しかし、ポリ乳酸樹脂は燃焼しやすいため、高度な難燃性が要求される、家電製品やОＡ機器の筐体や機構部品および自動車部品などの用途に使用することは困難であった。【０００３】
特許文献１〜６には、ポリ乳酸樹脂に、水酸化アルミニウムをはじめとする金属水和物に加え、さらにリン系化合物を併用することで、良好な難燃性を達成したポリ乳酸樹脂組成物が開示されている。
【先行技術文献】
【特許文献】
【０００４】
【特許文献１】特開２００５−１６２８７１号公報
【特許文献２】特開２００６−１４３８８４号公報
【特許文献３】特開２００５−２４８０３２号公報
【特許文献４】特開２００６−８７３１号公報
【特許文献５】特開２００４−１９００２５号公報
【特許文献６】国際公開２００５−０６１６２６号パンフレット
【発明の概要】
【発明が解決しようとする課題】
【０００５】
ただし、特許文献１〜５に例示されている金属水和物において、アルカリ金属系物質の含有量は特定されていない。したがって、特許文献１〜５に例示されている金属水和物を使用すると、この金属水和物中のアルカリ金属系物質の濃度が高いために、芳香族リン酸エステルなど汎用のリン系化合物を併用した場合に、このアルカリ金属系物質によって、リン系化合物の加水分解が促進されてしまう。また、特許文献６に例示されている金属水和物はアルカリ金属系物質の含有量が０．２質量％以下であるが、リン系化合物としては汎用のものが記載されているに過ぎず、リン系化合物の加水分解を抑制することができなかった。その結果、リン系化合物やこれに由来する分解物が母材のポリ乳酸からブリードしやすくなったり、ポリ乳酸の分解が加速されて分子量が低下したりする問題が発生していた。【０００６】
本実施形態の課題は、耐ブリード性と分子量保持率に優れるポリ乳酸樹脂組成物およびポリ乳酸樹脂成形体を提供することにある。
【課題を解決するための手段】
【０００７】
本実施形態は、ポリ乳酸樹脂（ａ）と、アルカリ金属系物質の含有量が０．２質量％以下である金属水和物（ｂ）と、ホスファゼン誘導体（ｃ）とを含有するポリ乳酸樹脂組成物、およびこのポリ乳酸樹脂組成物を成形してなるポリ乳酸樹脂成形体を提供する。
【発明の効果】
【０００８】
本実施形態によれば、耐ブリード性と分子量保持率に優れると同時に、良好な難燃性を示すポリ乳酸樹脂組成物およびポリ乳酸樹脂成形体を提供できる。
【発明を実施するための形態】
【０００９】
＜ポリ乳酸樹脂組成物＞
本実施形態に係るポリ乳酸樹脂組成物は、ポリ乳酸樹脂（ａ）と、アルカリ金属系物質の含有量が０．２質量％以下の金属水和物（ｂ）と、ホスファゼン誘導体（ｃ）を含有することで、優れた耐ブリード性と高度な分子量保持率を示す効果が奏される。これらの効果が発現される理由は定かではないが、次のように考えられる。ホスファゼン誘導体ではない一般的なリン系化合物を、アルカリ金属系物質の含有量が高い一般の金属水和物と併用すると、このアルカリ金属系物質によってリン系化合物自体、特にリン酸エステル化合物の加水分解が促進されてしまう。そして、これらのリン系化合物やこの分解物が、ポリ乳酸からブリードしやすくなったり、ポリ乳酸の分解を促進してポリ乳酸自体の分子量が低下したりする問題があった。それに対し、本実施形態のように、アルカリ金属系物質の含有量が０．２質量％以下の金属水和物（ｂ）とホスファゼン誘導体（ｃ）とを併用することで、ポリ乳酸からのリン系化合物のブリードや、ポリ乳酸の分解を抑制することができたものと考えられる。
【００１０】
［ポリ乳酸樹脂（ａ）］
本実施形態では、ポリ乳酸樹脂（ａ）として、ポリ乳酸、または乳酸と乳酸以外のヒドロキシカルボン酸とのコポリマーを用いることができる。ポリ乳酸樹脂（ａ）は、１種のみを用いてもよく、２種以上を併用してもよい。
【００１１】
ポリ乳酸は、Ｌ−乳酸のホモポリマーでもよく、Ｄ−乳酸のホモポリマーでもよく、Ｌ−乳酸とＤ−乳酸とのコポリマーでもよい。ポリ乳酸を形成する構造単位は、例えば、Ｌ−乳酸またはＤ−乳酸の単位が２０〜１００モル％であり、その対掌体（光学異性体）の単位が０〜８０モル％である。また、Ｌ−乳酸単位９０〜１００モル％と、Ｄ−乳酸等の単位０〜１０モル％とにより構成されるポリ乳酸単位（Ａ）と、Ｄ−乳酸単位９０〜１００モル％と、Ｌ−乳酸等の単位０〜１０モル％とにより構成されるポリ乳酸単位（Ｂ）との混合物からなり、（Ａ）／（Ｂ）（質量比）が１０／９０〜９０／１０である、ステレオコンプレックスポリ乳酸を用いることもできる。ステレオコンプレックスポリ乳酸を構成する各ポリ乳酸単位（Ａ）および（Ｂ）に使用される乳酸以外の共重合成分単位は、２個以上のエステル結合を形成可能な官能基を持つジカルボン酸、多価アルコール、ヒドロキシカルボン酸、ラクトン等およびこれら種々の構成成分からなり、未反応の前記官能基を分子内に２つ以上有するポリエステル、ポリエーテル、ポリカーボネート等が挙げられる。
【００１２】
乳酸と乳酸以外のヒドロキシカルボン酸とのコポリマーは、例えばＬ−乳酸またはＤ−乳酸いずれかの単位８５モル％以上１００モル％未満と、乳酸以外のヒドロキシカルボン酸単位０モル％を超え１５モル％以下からなるコポリマーが挙げられる。ヒドロキシカルボン酸としては、グリコール酸、ヒドロキシ酪酸、ヒドロキシ吉草酸、ヒドロキシペンタン酸、ヒドロキシカプロン酸、ヒドロキシヘプタン酸等が挙げられ、グリコール酸、ヒドロキシカプロン酸が好ましい。
【００１３】
これらのポリ乳酸樹脂は、Ｌ−乳酸、Ｄ−乳酸および乳酸以外のヒドロキシカルボン酸の中から必要とする構造のものを選んで原料とし、脱水重縮合することにより得ることができる。また、乳酸の環状二量体であるラクチド、グリコール酸の環状二量体であるグリコリドおよびカプロラクトン等から必要とする構造のものを選んで開環重合することにより得ることもできる。ラクチドには、Ｌ−乳酸の環状二量体であるＬ−ラクチド、Ｄ−乳酸の環状二量体であるＤ−ラクチド、Ｄ−乳酸とＬ−乳酸とが環状二量化したメソ−ラクチド、Ｄ−ラクチドとＬ−ラクチドとのラセミ混合物であるＤＬ−ラクチドがあり、いずれのラクチドも用いることができる。ただし、主原料は、Ｄ−ラクチドまたはＬ−ラクチドが好ましい。
【００１４】
ポリ乳酸樹脂（ａ）は、光学純度９０％以上の結晶性ポリ乳酸でもよく、光学純度９０％以上の結晶性ポリ乳酸と光学純度９０％未満のポリ乳酸の混合物でもよい。耐熱性の観点から、光学純度９０％以上の結晶性ポリ乳酸と光学純度９０％未満のポリ乳酸の割合は、質量比で、（光学純度９０％以上の結晶性ポリ乳酸）／（光学純度９０％未満のポリ乳酸）＝１００／０〜１０／９０が好ましく、より好ましくは１００／０〜２５／７５、さらに好ましくは１００／０〜５０／５０、特に好ましくは１００／０〜９０／１０である。
【００１５】
市販されているポリ乳酸樹脂としては、三井化学（株）製の商品名「ＬＡＣＥＡ」、ネイチャーワークス社製の商品名「Ｎａｔｕｒｅ  Ｗｏｒｋｓ」、トヨタ自動車（株）製の商品名「エコプラスチックＵ’ｚ」、ユニチカ（株）製の商品名「テラマック」等が挙げられる。これらの中では、三井化学（株）製の商品名「ＬＡＣＥＡ  Ｈ−１００」、「ＬＡＣＥＡ  Ｈ−２８０」、「ＬＡＣＥＡ  Ｈ−４００」、「ＬＡＣＥＡ  Ｈ−４４０」；ネイチャーワークス社製の商品名「Ｎａｔｕｒｅ  Ｗｏｒｋｓ」；トヨタ自動車（株）製の商品名「エコプラスチックＵ’ｚ」；ユニチカ（株）製の商品名「テラマックＴＥ−２０００」、「テラマックＴＰ−４０００」が好ましい。
【００１６】
耐熱性の観点では、Ｌ−乳酸の純度が高い結晶性ポリ乳酸樹脂が好ましく、延伸により配向結晶化させることが好ましい。結晶性ポリ乳酸樹脂としては、三井化学（株）製の「ＬＡＣＥＡ  Ｈ−１００」、「ＬＡＣＥＡ  Ｈ−４００」、「ＬＡＣＥＡ  Ｈ−４４０」；トヨタ自動車（株）製の商品名「エコプラスチックＵ’ｚ  Ｓ−０９」、「エコプラスチックＵ’ｚ  Ｓ−１２」、「エコプラスチックＵ’ｚ  Ｓ−１７」等が挙げられる。
【００１７】
ポリ乳酸樹脂（ａ）の重量平均分子量は、良好な強度や剛性を満足する観点から、５万以上が好ましく、１０万以上がより好ましい。
【００１８】
ポリ乳酸樹脂組成物中のポリ乳酸樹脂（ａ）の含有量は、本実施形態の目的を達成する観点から、好ましくは３０質量％以上８０質量％以下であり、より好ましくは４０質量％以上６０質量％以下である。
【００１９】
［アルカリ金属系物質の含有量が０．２質量％以下の金属水和物（ｂ）］
本実施形態では、リン系化合物やポリ乳酸樹脂の加水分解を抑制する観点から、アルカリ金属系物質の含有量が０．２質量％以下の金属水和物（ｂ）を用いる。金属水和物（ｂ）としては、水酸化アルミニウム、水酸化マグネシウム、ドーソナイト、アルミン酸カルシウム水和物、水和石膏、水酸化カルシウム、ホウ酸亜鉛、メタホウ酸バリウム、ホウ砂、カオリナイト等が挙げられる。なかでも、水酸化アルミニウム、水酸化マグネシウムおよび水酸化カルシウムから選ばれる少なくとも１種またはこれらの混合物が好ましく、水酸化アルミニウムがより好ましい。
【００２０】
金属水和物（ｂ）に含まれるアルカリ金属系物質としては、リチウム、ナトリウム、カリウム、ベリリウム、マグネシウム、カルシウム、ストロンチウム、バリウムの、酸化物または塩化物等の塩が挙げられる。アルカリ金属系物質の含有量は、原子吸光法やＩＣＰ発光分光分析法により測定できる。
【００２１】
金属水和物（ｂ）は、平均粒径１０μｍ以下の粒状体からなるものが好ましく、平均粒径０．１〜５μｍの粒状体からなるものがより好ましい。なお、金属水和物（ｂ）の平均粒径は、回折・散乱法によって体積基準のメジアン径を測定することにより求めることができる。市販の装置としては、島津製作所製レーザー回折式粒度分布測定装置ＳＡＬＤ−３１００（商品名）等が挙げられる。
【００２２】
金属水和物（ｂ）は、例えば、シランカップリング剤で表面処理された状態で使用することもできる。シランカップリング剤により金属水和物（ｂ）を表面処理する方法は、特に限定されず、例えば、シランカップリング剤を、アセトン、酢酸エチル、トルエン等の溶媒に溶解させた溶液を、金属水和物（ｂ）の表面に噴霧または塗工した後、乾燥して溶媒を除去する方法等が挙げられる。
【００２３】
ポリ乳酸樹脂組成物中のポリ乳酸樹脂（ａ）と金属水和物（ｂ）との割合は、本実施形態の目的を達成する観点から、ポリ乳酸樹脂（ａ）／金属水和物（ｂ）の質量比で４０／６０〜８０／２０が好ましく、４０／６０〜７０／３０がより好ましい。
【００２４】
［ホスファゼン誘導体（ｃ）］
本実施形態では、リン系化合物として、ホスファゼン誘導体（ｃ）を用いる。ホスファゼン誘導体（ｃ）としては、特に限定されるものではないが、ポリホスファゼン化合物、シクロホスファゼン化合物、フェノキシシクロホスファゼン化合物、シアノフェノキシ基を有するシクロホスファゼン化合物、アミノフェノキシ基を有するシクロホスファゼン化合物、ナフトキシ基を有するシクロフェノキシホスファゼン化合物、フェノール性水酸基を有するシクロホスファゼン化合物からなる群より選ばれる少なくとも１種またはこれらの混合物が好ましい。これらの中でも、酸化されると着色の原因となるキノン構造を形成しやすいフェノール性水酸基を含有しないホスファゼン化合物が好ましい。すなわち、耐変色性に優れる点から、フェノキシシクロホスファゼン化合物、シアノフェノキシ基を有するシクロホスファゼン化合物、アミノフェノキシ基を有するシクロホスファゼン化合物、ナフトキシ基を有するシクロフェノキシホスファゼン化合物が特に好ましい。
【００２５】
ポリ乳酸樹脂組成物中のホスファゼン誘導体（ｃ）の含有量は、本実施形態の目的を達成する観点から、ポリ乳酸樹脂１００質量部に対し１〜３０質量部が好ましく、２〜２０質量部がより好ましい。含有量が１質量部未満だと十分な難燃性が得られない場合があり、３０質量部を超えると十分な耐ブリード性が得られない場合がある。
【００２６】
［有機結晶核剤］
本実施形態のポリ乳酸樹脂組成物は、さらに有機結晶核剤を含有することが好ましい。有機結晶核剤としては、脂肪酸モノアミド、脂肪酸ビスアミド、芳香族カルボン酸アミド、ロジン酸アミド等のアミド類；ヒドロキシ脂肪酸エステル類；芳香族スルホン酸ジアルキルエステルの金属塩、フェニルホスホン酸金属塩、リン酸エステルの金属塩、ロジン酸類金属塩等の金属塩類；カルボヒドラジド類、Ｎ−置換尿素類、有機顔料類等が挙げられる。ポリ乳酸樹脂組成物の成形性、耐熱性、耐衝撃性および有機結晶核剤の耐ブルーム性の観点から、分子中に水酸基とアミド基とを有する化合物およびヒドロキシ脂肪酸エステルからなる群から選ばれる少なくとも１種が好ましい。また、分子中に水酸基とアミド基とを有する化合物およびヒドロキシ脂肪酸エステルからなる群から選ばれる少なくとも１種とフェニルホスホン酸金属塩とを併用することがより好ましく、分子中に水酸基とアミド基とを有する化合物とフェニルホスホン酸金属塩とを併用することがさらに好ましい。
【００２７】
分子中に水酸基とアミド基とを有する化合物としては、ポリ乳酸樹脂との相溶性を向上させる観点から、水酸基を２つ以上有し、アミド基を２つ以上有する脂肪族アミドが好ましい。また、分子中に水酸基とアミド基とを有する化合物の融点は、混練時の有機結晶核剤の分散性を向上させ、またポリ乳酸樹脂組成物の結晶化速度を向上させる観点から、６５℃以上が好ましく、７０〜２２０℃がより好ましく、８０〜１９０℃がさらに好ましい。
【００２８】
分子中に水酸基とアミド基とを有する化合物の具体例としては、１２−ヒドロキシステアリン酸モノエタノールアミド等のヒドロキシ脂肪酸モノアミド；メチレンビス１２−ヒドロキシステアリン酸アミド、エチレンビス１２−ヒドロキシステアリン酸アミド、ヘキサメチレンビス１２−ヒドロキシステアリン酸アミド等のヒドロキシ脂肪酸ビスアミド等が挙げられる。ポリ乳酸樹脂組成物の成形性、耐熱性、耐衝撃性および耐ブルーム性の観点から、メチレンビス１２−ヒドロキシステアリン酸アミド、エチレンビス１２−ヒドロキシステアリン酸アミド、ヘキサメチレンビス１２−ヒドロキシステアリン酸アミド等のアルキレンビスヒドロキシステアリン酸アミドが好ましく、エチレンビス１２−ヒドロキシステアリン酸アミドがより好ましい。
【００２９】
ヒドロキシ脂肪酸エステルの具体例としては、１２−ヒドロキシステアリン酸トリグリセライド、１２−ヒドロキシステアリン酸ジグリセライド、１２−ヒドロキシステアリン酸モノグリセライド、ペンタエリスリトール−モノ−１２−ヒドロキシステアレート、ペンタエリスリトール−ジ−１２−ヒドロキシステアレート、ペンタエリスリトール−トリ−１２−ヒドロキシステアレート等のヒドロキシ脂肪酸エステルが挙げられる。ポリ乳酸樹脂組成物の成形性、耐熱性、耐衝撃性および有機結晶核剤の耐ブルーム性の観点から、１２−ヒドロキシステアリン酸トリグリセライドが好ましい。
【００３０】
フェニルホスホン酸金属塩は、置換基を有しても良いフェニル基とホスホン基（−ＰＯ（ＯＨ）２）を有するフェニルホスホン酸の金属塩である。フェニル基の置換基としては、炭素数１〜１０のアルキル基、アルコキシ基の炭素数が１〜１０のアルコキシカルボニル基等が挙げられる。フェニルホスホン酸の具体例としては、無置換のフェニルホスホン酸、メチルフェニルホスホン酸、エチルフェニルホスホン酸、プロピルフェニルホスホン酸、ブチルフェニルホスホン酸、ジメトキシカルボニルフェニルホスホン酸、ジエトキシカルボニルフェニルホスホン酸等が挙げられ、無置換のフェニルホスホン酸が好ましい。
【００３１】
フェニルホスホン酸の金属塩としては、リチウム、ナトリウム、マグネシウム、アルミニウム、カリウム、カルシウム、バリウム、銅、亜鉛、鉄、コバルト、ニッケル等の塩が挙げられ、亜鉛塩が好ましい。
【００３２】
ポリ乳酸樹脂組成物中の有機結晶核剤の含有量は、十分な耐衝撃性および可撓性を得る観点から、ポリ乳酸樹脂１００質量部に対し０．０５〜５質量部が好ましく、０．１〜３質量部がより好ましく、０．２〜２質量部がさらに好ましい。
【００３３】
［無機充填剤］
ポリ乳酸樹脂組成物は、さらに無機充填剤を含有することができる。無機充填剤としては、タルク、スメクタイト、カオリン、マイカ、モンモリロナイト等のケイ酸塩、シリカ、酸化マグネシウム、酸化チタン、炭酸カルシウム等の無機化合物、ガラス繊維、炭素繊維、グラファイト繊維、ワラストナイト、チタン酸カリウムウィスカー、珪素系ウィスカー等の繊維状無機充填剤等が挙げられる。無機充填剤の中でも、ポリ乳酸樹脂組成物の成形性および耐熱性の観点から、ケイ酸塩が好ましく、タルクまたはマイカがより好ましく、タルクが特に好ましい。また、ポリ乳酸樹脂組成物の成形性および透明性の観点からは、シリカが好ましい。
【００３４】
無機充填剤の平均粒径は、良好な分散性を得る観点から、０．１〜２０μｍが好ましく、０．１〜１０μｍがより好ましい。また、繊維状の無機充填剤のアスペクト比は、剛性向上の観点から５以上が好ましく、１０以上がより好ましく、２０以上がさらに好ましい。なお、無機充填剤の平均粒径は、回折・散乱法によって体積基準のメジアン径を測定することにより求めることができる。市販の装置としては、島津製作所製レーザー回折式粒度分布測定装置ＳＡＬＤ−３１００（商品名）等が挙げられる。
【００３５】
ポリ乳酸樹脂組成物中の無機充填剤の含有量は、十分な耐熱性および耐衝撃性を得る観点から、ポリ乳酸樹脂１００質量部に対し１〜２００質量部が好ましく、３〜５０質量部がより好ましく、５〜４０質量部がさらに好ましい。
【００３６】
［加水分解抑制剤］
ポリ乳酸樹脂組成物は、さらに、加水分解抑制剤を含有することができる。加水分解抑制剤としては、ポリカルボジイミド化合物やモノカルボジイミド化合物等のカルボジイミド化合物が挙げられる。ポリ乳酸樹脂成形体の成形性の観点から、ポリカルボジイミド化合物が好ましく、ポリ乳酸樹脂成形体の耐熱性、耐衝撃性および有機結晶核剤の耐ブルーム性の観点から、モノカルボジイミド化合物が好ましい。また、ポリ乳酸樹脂成形体の耐久性の観点から、モノカルボジイミド化合物とポリカルボジイミド化合物の併用が好ましい。
【００３７】
ポリカルボジイミド化合物としては、ポリ（４，４’−ジフェニルメタンカルボジイミド）、ポリ（４，４’−ジシクロヘキシルメタンカルボジイミド）、ポリ（１，３，５−トリイソプロピルベンゼン）ポリカルボジイミド、ポリ（１，３，５−トリイソプロピルベンゼンおよび１，５−ジイソプロピルベンゼン）ポリカルボジイミド等が挙げられ、モノカルボジイミド化合物としては、ジシクロヘキシルカルボジイミド、ジイソプロピルカルボジイミド、ジフェニルカルボジイミド、ビス（メチルフェニル）カルボジイミド、ビス（メトキシフェニル）カルボジイミド、ビス（ニトロフェニル）カルボジイミド、ビス（ジメチルフェニル）カルボジイミド、ビス（ジイソプロピルフェニル）カルボジイミド、ビス（ジーｔ−ブチル）カルボジイミド、Ｎ−エチル−Ｎ’−（３−ジメチルアミノプロピル）カルボジイミド、ビス（トリフェニルシリル）カルボジイミド、Ｎ，Ｎ’−ジ−２，６−ジイソプロピルフェニルカルボジイミド等が挙げられる。ポリ（４，４’−ジシクロヘキシルメタンカルボジイミド）としては、カルボジライトＬＡ−１（商品名、日清紡績（株）製）を購入して使用することができる。ポリ（１，３，５−トリイソプロピルベンゼン）ポリカルボジイミドならびにポリ（１，３，５−トリイソプロピルベンゼンおよび１、５−ジイソプロピルベンゼン）ポリカルボジイミドとしては、スタバクゾールＰおよびスタバクゾールＰ−１００（いずれも商品名、Ｒｈｅｉｎ  Ｃｈｅｍｉｅ社製）を購入して使用することができる。Ｎ，Ｎ’−ジ−２，６−ジイソプロピルフェニルカルボジイミドとしては、スタバクゾールＩ、スタバクゾールＩ−ＬＦ（いずれも商品名、Ｒｈｅｉｎ  Ｃｈｅｍｉｅ社製）を購入して使用することができる。
【００３８】
上記カルボジイミド化合物は、ポリ乳酸樹脂成形体の成形性、耐熱性、耐衝撃性および有機結晶核剤の耐ブルーム性を満たすために、単独または２種以上組み合わせて用いてもよい。
【００３９】
ポリ乳酸樹脂組成物中の加水分解抑制剤の含有量は、ポリ乳酸樹脂組成物の成形性の観点から、ポリ乳酸樹脂１００質量部に対し０．０５〜７質量部が好ましく、０．１〜３質量部がさらに好ましい。
【００４０】
［その他］
ポリ乳酸樹脂組成物は、上記の成分以外に、さらにヒンダードフェノールまたはフォスファイト系の酸化防止剤、または炭化水素系ワックス類やアニオン型界面活性剤である滑剤等の他の成分を含有することができる。酸化防止剤、滑剤のそれぞれの含有量は、ポリ乳酸樹脂１００質量部に対し０．０５〜３質量部が好ましく、０．１〜２質量部がさらに好ましい。
【００４１】
ポリ乳酸樹脂組成物は、上記以外の他の成分として、帯電防止剤、防曇剤、光安定剤、紫外線吸収剤、顔料、防カビ剤、抗菌剤、発泡剤等を、本実施形態の目的達成を妨げない範囲で含有することができる。
【００４２】
＜ポリ乳酸樹脂成形体およびその製造方法＞
本実施形態に係るポリ乳酸樹脂成形体は、本実施形態に係るポリ乳酸樹脂組成物を成形することにより得られる。例えば、押出し機等を用いてポリ乳酸樹脂（ａ）を溶融させながら、アルカリ金属系物質が０．２質量％以下の金属水和物（ｂ）と、ホスファゼン誘導体（ｃ）、必要により有機結晶核剤や他の添加剤を混合し、得られた溶融物を射出成形機等により金型に充填して成形する方法が挙げられる。金型温度は、特に限定されないが、結晶化速度向上および作業性を向上させる観点から、ポリ乳酸樹脂（ａ）のガラス転移温度以上１１０℃以下が好ましい。
【００４３】
ポリ乳酸樹脂成形体の好ましい製造方法としては、ポリ乳酸樹脂（ａ）と、アルカリ金属系物質が０．２質量％以下の金属水和物（ｂ）と、ホスファゼン誘導体（ｃ）とを溶融混練して、ポリ乳酸樹脂組成物の溶融物を得る工程（以下、工程（１）という）と、工程（１）で得られた溶融物を、ポリ乳酸樹脂（ａ）のガラス転移温度以上１１０℃以下の金型内に充填して成形する工程（以下、工程（２）という）とを有する方法である。さらに、工程（１）を経た後冷却して、非晶状態（すなわち広角Ｘ線回折法で測定される結晶化度が１％以下となる条件）とした後に工程（２）を行う方法や、工程（１）を経た後冷却して直ちに工程（２）を行う方法が好ましい。結晶化速度の向上効果を発現する観点から、工程（１）を経た後冷却して直ちに工程（２）を行う方法がより好ましい。
【００４４】
工程（２）の具体例としては、例えば、射出成形機等により、ポリ乳酸樹脂組成物をポリ乳酸樹脂（ａ）のガラス転移温度以上から１１０℃以下の金型内に充填して成形する方法等が挙げられる。工程（２）における金型内での保持時間は、相対結晶化度６０％以上を達成し、かつ生産性を向上する観点から、５〜６０秒が好ましく、８〜５０秒がより好ましく、１０〜４５秒がさらに好ましい。
【実施例】
【００４５】
〔実施例１〜７、比較例１〜６〕
表１および２に示す各成分を、２軸押出機（栗本鉄工所製、商品名：Ｓ１ニーダー）にて１９０℃で溶融混練し、ストランドカットを行うことで、ポリ乳酸樹脂組成物のペレットを得た。なお、得られたペレットは、７０℃減圧下で１日乾燥して、水分量を５００ｐｐｍ以下とした。【００４６】
【表１】
2010004799.tif 000002
【００４７】
【表２】
2010004799.tif 000003
【００４８】
表１および２において、略号は以下の意味を示す。
「Ｈ−４００」：ポリ乳酸樹脂（三井化学（株）製、商品名：ＬＡＣＥＡ  Ｈ−４００、重量平均分子量（Ｍｗ）２１万、分散度（Ｍｗ／Ｍｎ）＝３．２、Ｌ体／Ｄ体＝９８．２／１．８、融点１６５℃、ガラス転移温度：５７℃）
「Ｈ−１００」：ポリ乳酸樹脂（三井化学（株）製、商品名：ＬＡＣＥＡ  Ｈ−１００、重量平均分子量（Ｍｗ）１４万、分散度（Ｍｗ／Ｍｎ）＝３．４、Ｌ体／Ｄ体＝９８．３／１．７、融点１６８℃、ガラス転移温度：５７℃）
「ＢＥ０３３」：水酸化アルミニウム（日本軽金属（株）製、商品名：ＢＥ０３３、平均粒径２μｍ、アルカリ金属系物質Ｎａ２Ｏの含有量０．０１質量％）
「Ｂ１４０３」：水酸化アルミニウム（日本軽金属（株）製、Ｂ１４０３、平均粒径２μｍ、アルカリ金属系物質Ｎａ２Ｏの含有量０．３質量％）
「ＦＴ６８９」：ガラス繊維（オーウェンスコーニング製、商品名：ＦＴ６８９、１０μｍφ、３ｍｍ長）
「ＦＡ−５００」：ドリップ防止剤（ダイキン工業製、商品名：ポリフロンＭＰＡ  ＦＡ−５００）
「ＳＰＳ−１００」：フェノキシシクロホスファゼン化合物（大塚化学（株）製、商品名：ＳＰＳ−１００）
「ＳＰＨ−１００」：フェノール性水酸基を有するシクロホスファゼン化合物（大塚化学（株）製、商品名：ＳＰＨ−１００）
「ＢＡＰＰ」：ビスフェノールＡビス（ジフェニルホスフェート）（味の素ファインテクノ製、商品名：レオフォスＢＡＰＰ）
「ОＰ９３５」：有機リン酸塩（クラリアント製、商品名：エクソリットОＰ９３５）
「ＰＸ−２００」：縮合リン酸エステル（大八化学製、商品名：ＰＸ−２００）【００４９】
次に、ポリ乳酸樹脂組成物のペレットを、シリンダー温度を２００℃とした射出成形機（東芝機械製、商品名：ＥＣ２０Ｐ）を用いて、金型の表面温度を室温（約２５℃）に設定して、成形時間１分でテストピース〔板状試験片（１２５ｍｍ×１２ｍｍ×１．６ｍｍ）〕を成形した。このテストピースを１００℃の乾燥機に４時間保管して結晶化を完了させた後、下記の方法で物性を評価した。これらの結果を表１および２に示す。【００５０】
＜耐ブリード性＞
板状試験片を、６０℃×９５ＲＨ％に設定した恒温恒湿槽内に６時間または６０時間保管した後、成形体の表面に染み出し成分や析出物があるかどうかを光学顕微鏡で観察して、耐ブリード性を評価した。染み出し成分が観察されない場合を優（○）、染み出し成分が部分的に観察された場合を良（△）と判別して合格判定とし、染み出し成分が全面に観察された場合を不合格（×）とした。【００５１】
＜分子量保持率＞
ポリ乳酸樹脂組成物のペレットをクロロホルムで溶解して、ポリスチレン換算の重量平均分子量（Ｍｗ）を測定した。混練前のポリ乳酸の重量平均分子量（Ｍｗ）を同様の方法で測定した。そして、混練前後のポリ乳酸の重量平均分子量（Ｍｗ）を比較して、分子量保持率を算出した。分子量保持率が９０％以上の場合を合格（○）、同数値が８０％以上９０％未満の場合を不合格（×）、８０％未満の場合も不合格（××）とした。【００５２】
＜難燃性＞
ＵＬ規格の垂直燃焼試験（ＵＬ９４Ｖ）を行って、板状試験片の難燃性を評価した。難燃性が良好な順で、Ｖ−０、Ｖ−１、Ｖ−２、ＮＯＴと判定した。【００５３】
表１の結果から、ポリ乳酸樹脂と、アルカリ金属系物質の含有量が０．２質量％以下の水酸化アルミニウムと、ホスファゼン誘導体とを含有するポリ乳酸樹脂組成物（実施例１〜７）は、耐ブリード性と分子量保持率に優れていた。一方、表２の結果から、ホスファゼン誘導体ではない一般的なリン系化合物を用いたポリ乳酸樹脂組成物（比較例１〜６）は、耐ブリード性や分子量保持率が不十分であった。さらに、表２の結果から、アルカリ金属系物質の含有量が０．２質量％超の水酸化アルミニウムを用いたポリ乳酸樹脂組成物（比較例４〜６）は、耐ブリード性や分子量保持率がより一層低下した。【００５４】
以上の結果から、ポリ乳酸樹脂（ａ）と、アルカリ金属系物質の含有量が０．２質量％以下である金属水和物（ｂ）と、ホスファゼン誘導体（ｃ）とを含有するポリ乳酸樹脂組成物は、優れた耐ブリード性および分子量保持率を示すことが明らかである。【００５５】
この出願は、２００８年７月１０日に出願された日本特許出願特願２００８−１８０１３９を基礎とする優先権を主張し、その開示の全てを参照してここに取り込む。
【国際調査報告】
2010004799.tif 000004
2010004799.tif 000005
2010004799.tif 000006
2010004799.tif 000007